(57)【特許請求の範囲】
【請求項１】
隣接する複数のチップ実装領域を有する基板上に複数の半導体チップをその機能面が前記基板の実装面に対向するように実装する工程と、
前記基板上にモールド樹脂を供給して前記複数の半導体チップが封止された樹脂封止ブロックを形成する工程と、
前記樹脂封止ブロックを前記チップ実装領域毎の分離ラインに沿って前記基板側から所定の深さまでハーフカットしてカット溝を形成する工程と、
前記樹脂封止ブロックを前記モールド樹脂側から少なくとも前記カット溝に達するまで研削して個々の半導体装置に分離する工程と、
を有する半導体装置の製造方法。
【請求項２】
前記ハーフカット工程の前に、前記基板の半導体チップ実装面と反対側の面に前記半導体装置の外部接続端子としての電極を形成する工程を有する、請求項１に記載の半導体装置の製造方法。
【請求項３】
前記ハーフカット工程は、前記カット溝を形成するに際し、前記モールド樹脂を吸着装置で吸着固定する工程を含み、
前記研削工程は、前記半導体装置を分離するに際し、前記基板に保持テープを貼り付ける工程と、前記保持テープを介して前記樹脂封止ブロックを吸着装置で吸着固定する工程とを含む、
請求項１又は２に記載の半導体装置の製造方法。
【請求項４】
前記研削工程において、前記半導体チップの研削後の厚さが研削前の６０％以下になるように前記モールド樹脂及び前記半導体チップが研削される、請求項１〜３の何れかに記載の半導体装置の製造方法。
【請求項５】
前記研削工程の後に、前記モールド樹脂及び前記半導体チップの研削面上にヒートシンクを形成する工程を有する、請求項４に記載の半導体装置の製造方法。
【請求項６】
隣接する複数のチップ搭載領域を搭載面に有する基板を提供するステップと、
機能面と非機能面とを有する複数の半導体チップを上記基板上のチップ搭載領域に、上記半導体チップの機能面が上記基板の搭載面に対向するように搭載するステップと、
上記複数の半導体チップをモールド樹脂で上記基板の搭載面まで密封するステップと、
上記基板上のチップ搭載領域の間に凹部を形成するために、上記搭載面の反対側の上記基板の面から上記基板を通して上記モールド樹脂の中に上記モールド樹脂の30％の深さまで切り込むステップと、
上記凹部に達するように、上記基板の搭載面側から上記モールド樹脂と上記複数の半導体チップの一部を除去し、それによって、上記複数の半導体チップの1つ又は複数を含む個々の半導体装置を形成するために上記基板の複数のチップ搭載領域が分離されるステップと、
を含む半導体装置の製造方法。
【請求項７】
隣接する複数のチップ搭載領域を搭載面に有する基板を提供するステップと、
機能面と非機能面とを有する複数の半導体チップを上記基板上のチップ搭載領域に、上記半導体チップの機能面が上記基板の搭載面に対向するように搭載するステップと、
上記複数の半導体チップをモールド樹脂で上記基板の搭載面まで密封するステップと、
上記基板上のチップ搭載領域の間に凹部を形成するために、上記搭載面の反対側の上記基板の面から上記基板を通して上記モールド樹脂の中に所定の深さまで切り込むステップと、
上記凹部に達するように、上記基板の搭載面側から上記モールド樹脂と上記複数の半導体チップの一部を除去し、それによって上記複数の半導体チップの1つ又は複数を含む個々の半導体装置を形成するために上記基板の複数のチップ搭載領域が分離されるステップであって、除去後の上記半導体チップの厚さが除去前の厚さの60％以下とされるステップと、
を含む半導体装置の製造方法。
【請求項８】
請求項６又は７に記載の半導体装置の製造方法であって、
上記基板を通して切り込むステップの前に、上記搭載面と反対の上記基板の面上に外部接続端子を形成するステップを更に含む、方法。
【請求項９】
請求項６乃至８の何れかに記載の半導体装置の製造方法であって、
上記切り込むステップの期間中に上記基板を吸着装置で保持するステップを更に含む、方法。
【請求項１０】
請求項６乃至９の何れかに記載の半導体装置の製造方法であって、
上記モールド樹脂と上記複数の半導体チップの一部を除去するステップの前に上記基板上に保持テープをつけるステップを更に含む、方法。
【請求項１１】
請求項１０に記載の半導体装置の製造方法であって、
上記保持テープに吸着を与えることにより上記基板を保持するステップを更に含む、方法。
【発明の詳細な説明】
【０００１】
【発明の属する技術分野】
本発明は、半導体装置の製造方法に関し、特に、半導体チップを基板にフェイスダウン実装（フリップチップ）する半導体装置の製造において、半導体装置の薄型化を可能にすると共に、半導体装置の生産性及び寸法精度を向上させることができる半導体装置の製造方法に関するものである。
【０００２】
【従来の技術】
携帯電話、携帯型コンピュータ、その他の小型電子機器の普及に伴って、これらに搭載する半導体装置の小型化・薄型化の要求が高まっている。小型の半導体装置を製造するためのチップ実装方式の一つに、半導体チップを基板にフェイスダウン実装するフリップチップ方式がある。この方式によれば、半導体チップと基板との電気的な接続領域をチップサイズ内に納めることができるため、基板にフェイスアップ実装された半導体チップを、ワイヤボンディングで基板に接続するワイヤボンド方式に比べ、半導体装置を小型化することが可能になる。
【０００３】
フリップチップ方式の半導体装置は、例えば、複数のチップ実装領域を隣接して有する基板上に複数の半導体チップをその機能面が該基板の表面に対向するようにして実装し、前記基板上にモールド樹脂を供給して、前記複数の半導体チップが封止された樹脂封止ブロックを形成し、前記基板の裏面に、前記半導体装置を外部基板へ実装するためのバンプ電極を形成し、前記樹脂封止ブロックをダイシングして個々の半導体装置を分離する各工程とを経て製造され、断面視においては、図５に示されるような積層構造を備える。
【０００４】
【発明が解決しようとする課題】
上記半導体装置Ｐを薄型化する場合には、半導体装置Ｐを構成する各層Ａ〜Ｅのそれぞれをできるだけ薄くすることが要求される。しかしながら、チップ実装用バンプ電極層Ｃ、基板層Ｄおよび外部基板実装用バンプ層Ｅは、薄型化の研究が進められているものの、既に限界値に近づいており、飛躍的な薄型化を望むことはできない。また、モールド樹脂層Ａ（チップ非機能面被覆層）は、半導体チップの非機能面と金型との間の間隙において形成されるものであり、この間隙を省いた場合には、金型内におけるモールド樹脂の流動が阻害され、生産性の低下や成形不良を招く惧れがある。また、半導体チップ層Ｂは、基板実装以前の工程（メッキバンプ等）や基板実装工程における半導体チップのハンドリングを考慮してその厚さが設定されており、無理に薄くすると、ハンドリング時に割れ等が発生して歩留まりの低下を招く不都合がある。
【０００５】
そこで、上記半導体装置Ｐの表面側（非機能面側）を、樹脂封止ブロックの段階で研削して薄型化することが提案される。しかしながら、樹脂封止ブロックは、上記のような積層構造を持つことから、モールド樹脂の収縮や各層の熱膨張率の違いによって反りを伴うことが多い。そのため、樹脂封止ブロックの吸着固定がうまくいかず、研削量にバラツキが生じ、半導体装置の厚さ精度を低下させる可能性がある。しかも、樹脂封止ブロックを研削する際には、樹脂封止ブロックの固定面に保持テープを貼り付ける必要があるため、ダイシング工程における保持テープの貼り付けと合せて、少なくと２回のテープ貼り付け工程が必要になり、その結果、製造工程の複雑化を招く許りでなく、保持テープの使用量が増加する不都合がある。
【０００６】
従って、本発明の目的は、樹脂封止ブロックを研削して半導体装置の薄型化を可能にする許りでなく、樹脂封止ブロックの反りを解消して均一な研削を可能にし、しかも、テープ貼り付け工程を減らすことにより、製造工程の簡略化やテープ使用量の削減を図ることができる半導体装置の製造方法を提供することにある。
【０００７】
【課題を解決するための手段】
上記目的を達成するため本発明に係る半導体装置の製造方法は、隣接する複数のチップ実装領域を有する基板上に複数の半導体チップをその機能面が前記基板の実装面に対向するように実装する工程と、前記基板上にモールド樹脂を供給して前記複数の半導体チップが封止された樹脂封止ブロックを形成する工程と、前記樹脂封止ブロックを前記チップ実装領域毎の分離ラインに沿って前記基板側から所定の深さまでハーフカットしてカット溝を形成する工程と、前記樹脂封止ブロックを前記モールド樹脂側から少なくとも前記カット溝に達するまで研削して個々の半導体装置に分離する工程とを有する。
【０００８】
また、前記ハーフカット工程の前に、前記基板の半導体チップ実装面と反対側の面に前記半導体装置の外部接続端子としての電極を形成する工程を有することが好ましい。この場合、樹脂封止ブロックがハーフカットされる前の段階で、外部基板実装用のバンプ電極（外部接続端子）の形成を行うことにより、バンプ電極形成時における樹脂封止ブロックの取り扱いを容易にすることができる。
【０００９】
また、前記ハーフカット工程において、前記カット溝の深さが前記モールド樹脂の３０％以下であることが好ましい。この場合、最少限の連結強度を確保して樹脂封止ブロックの折れ等を防止することができる。
【００１０】
また、前記ハーフカット工程は、前記カット溝を形成するに際し、前記モールド樹脂を吸着装置で吸着固定する工程を含み、前記研削工程は、前記半導体装置を分離するに際し、前記基板に保持テープを貼り付ける工程と、前記保持テープを介して前記樹脂封止ブロックを吸着装置で吸着固定する工程とを含むことが好ましい。この場合、保持テープの貼り付け工程を１回にできるため、製造工程を簡略化することができる許りでなく、保持テープの使用量を削減することができる。
【００１１】
また、前記研削工程において、前記半導体チップの研削後の厚さが研削前の６０％以下になるように前記モールド樹脂及び前記半導体チップが研削されることが好ましい。この場合、半導体チップを基板に実装するに際して、予め半導体チップを薄く形成する必要がなく、基板への実装前の半導体チップのハンドリングで半導体チップが割れる等の不都合を回避し、生産性及び歩留まりを向上させることができる。更には、半導体装置を飛躍的に薄型化することができる。
【００１２】
また、前記研削工程の後に、前記モールド樹脂及び前記半導体チップの研削面上にヒートシンクを形成する工程を有することが好ましい。この場合、半導体チップの放熱性を向上させることができる許りでなく、ヒートシンクで半導体チップを保護することができる。
【００１３】
【発明の実施の形態】
以下、本発明の実施形態を図面に沿って説明する。但し、各図面においては、本発明の理解を容易にするために、各部をデフォルメして示すと共に、要部以外の部分を可及的に省略して示すが、当業者によれば、それが容易に理解されるであろう。
【００１４】
図１は、本発明の第一実施形態に係る半導体装置の製造工程を示す図、図２は、本発明の第一実施形態に係る半導体装置の製造工程を経て製造された半導体装置の断面図である。これらの図に示されるように、半導体装置１０は、半導体チップ１１と、該半導体チップ１１が表面に実装される基板１２と、該基板１２に実装された半導体チップ１１を封止するモールド樹脂１３と、上記基板１２の裏面に形成される外部基板実装用バンプ電極１４とを備えて構成されている。以下、半導体装置１０の製造工程を順次説明する。
【００１５】
図示した製造工程に先立って、基板１２の製造工程が実施される。基板１２は、厚さ６２μｍ程度のポリイミド樹脂フィルムであり、その表面には、複数のチップ実装領域が所定間隔を存して隣接状に形成される。各チップ実装領域には、銅箔のエッチング等によって、例えば厚さ１８μｍ程度の回路パターン１５が形成される。さらに、基板１２には、複数のビアホール１６が形成され、該ビアホール１６を介して回路パターン１５と外部基板実装用バンプ電極１４とが電気的に接続される。
【００１６】
第一実施形態に係る最初の工程（Ａ）においては、機能面１１ａにバンプ電極１７が形成された半導体チップ１１を複数用意する。半導体チップ１１は、シリコンウェハの一方の面に、多数の半導体素子パターンを形成し、その後、ダイシングにより個片化して得られる。バンプ電極１７は、メッキやボンダーによって、半導体素子パターン上に形成されるものであり、例えば、金スタッドバンプ、半田スタッドバンプ、金メッキバンプ、半田メッキバンプ等が形成される。工程（Ａ）で用意される半導体チップ１１の厚さは、例えば６２５μｍであり、この程度の厚さを有する半導体チップ１１は、基板実装工程やそれ以前の工程におけるハンドリングで割れ等が生じる可能性は極めて低く、歩留まりの低下を招くことはない。
【００１７】
第一実施形態に係る次の工程（Ｂ）においては、工程（Ａ）で用意した複数の半導体チップ１１を、基板１２の各チップ実装領域にフリップチップ方式でフェイスダウン実装する。つまり、半導体チップ１１の機能面１１ａを、基板１２の各チップ実装領域に対向させると共に、バンプ電極１７を基板１２の回路パターン１５に位置合せし、その後、リフローによりバンプ電極１７を溶融して半導体チップ１１と基板１２とを電気的に接続する。この工程（Ｂ）が完了した段階では、半導体チップ１１と基板１２との間に１５μｍ程度の間隙が確保され、該間隙には、必要に応じてアンダーフィル材（図示せず）が注入される。
【００１８】
第一実施形態に係る次の工程（Ｃ）においては、基板１２の表面上にモールド樹脂１３（モールドコンパウンド）を供給して、複数の半導体チップ１１が封止された樹脂封止ブロック１８を形成する。つまり、基板１２上の半導体チップ１１を金型（図示せず）のキャビティにセットし、該キャビティにモールドコンパウンドを注入する。このとき、半導体チップ１１の非機能面１１ｂとキャビティとの間には所定の間隙が存在し、該間隙によってキャビティ内におけるモールドコンパウンドの流動性が確保される。これにより、モールドコンパウンドがキャビティ全体に速やかに充填され、精度の高いモールド成形が効率良く行われる。
【００１９】
第一実施形態に係る次の工程（Ｄ）においては、基板１２の裏面に外部基板実装用バンプ電極１４を形成する。外部基板実装用バンプ電極１４は、図２（Ａ）に示すＢＧＡ（Ball Grid Array）構造、もしくは図２（Ｂ）に示すＬＧＡ（Land Grid Array）構造のもので、基板１２の外部基板実装面に半田ボールの搭載処理もしくは半田ペーストのプリント処理を行った後、リフロー処理を経て形成される。
【００２０】
第一実施形態に係る次の工程（Ｅ）においては、上記樹脂封止ブロック１８を、半導体装置１０の分離ラインに沿って、基板１２の裏面側から所定の深さまでハーフカットする。ハーフカット処理は、樹脂封止ブロック１８におけるモールド樹脂１３の表面を図示しない吸着チャックで直接吸着固定した後、基板１２の裏面側からダイサー２０によって行われる。本実施形態では、厚さ６５０μｍのモールド樹脂１３に対して深さ５５０μｍのカット溝２１を形成しており、切り残された厚さ１００μｍの部分によって樹脂封止ブロック１８の各半導体装置部分が連結状態を維持する。つまり、モールド樹脂１３に形成するカット溝２１の深さは、樹脂封止ブロック１８の各半導体装置部分が連結状態を維持できる範囲であれば、任意に設定することが可能であるが、モールド樹脂１３の厚さの３０％以下とすることが好ましく、この場合には、最少限の連結強度が確保され、ハーフカット後のハンドリングで樹脂封止ブロック１８が折れる等の不都合が回避される。
【００２１】
第一実施形態に係る次の工程（Ｆ）においては、上記樹脂封止ブロック１８を、モールド樹脂１３の表面側から、少なくとも上記カット溝２１に到達するまで研削し、個々の半導体装置１０を分離する。つまり、この工程（Ｆ）では、基板１２の裏面に保持テープ２２を貼り付けた後、該保持テープ２２を介して基板１２の裏面を図示しない吸着チャックで吸着固定し、その後、グラインダー２３でモールド樹脂１３の表面側を研削する。このとき、吸着チャックに吸着される樹脂封止ブロック１８は、前工程（Ｅ）で形成されたカット溝２１により、その柔軟性が増していることから、図３に示されるように、仮に反りがあっても吸着チャック１９に確実に吸着される。これにより、樹脂封止ブロック１８がフラット姿勢を維持し、グラインダー２３によって均一に研削されることになる。尚、上記保持テープ２２は、基材上にアクリル系粘着剤等の粘着層を備えて形成されており、基板１２の裏面に貼り付けられると、基板１２の裏面に形成されたバンプ電極１４を粘着層で吸収し、基板１２の裏面全体に密着する。
【００２２】
本実施形態においては、グラインダー２３がカット溝２１に到達した後も、半導体チップ１１が所定の厚さ、例えば５５μｍになるまで、モールド樹脂１３を半導体チップ１１と共に研削する。これにより、個片に分離された半導体装置１０が１５０μｍ（外部基板実装用バンプ電極１４の高さ分を除く）に薄型化される。半導体チップ１１の研削量は、その機能を損なわない範囲で任意に設定することが可能であるが、研削後における半導体チップ１１の厚さが、研削前の厚さの６０％以下であることが好ましく、この場合には、基板実装以前における半導体チップ１１の割れ等を防止しつつ、半導体装置１０を飛躍的に薄型化することが可能になる。
【００２３】
次に、本発明の第二実施形態を図面に沿って説明する。図４は、本発明の第二実施形態に係る半導体装置の製造工程を経て製造された半導体装置の断面図である。この図に示されるように、第二実施形態においては、第一実施形態の製造工程（Ａ）〜（Ｆ）を経た半導体装置１０の研削面上に、薄板状のヒートシンク２４を接合する工程を更に備える。このヒートシンク２４は、半導体チップ１１の放熱性を向上させる許りでなく、半導体チップ１１を保護する機能を有している。
【００２４】
以上の如く本発明の実施形態によれば、複数のチップ実装領域を隣接して有する基板１２上に複数の半導体チップ１１をその機能面１１ａが該基板１２の表面に対向するようにして実装する工程（Ｂ）と、前記基板１２の表面上にモールド樹脂１３を供給して、前記複数の半導体チップ１１が封止された樹脂封止ブロック１８を形成する工程（Ｃ）と、前記樹脂封止ブロック１８を、半導体装置１０の分離ラインに沿って、前記基板１２の裏面側から所定の深さまでハーフカットする工程（Ｅ）と、前記樹脂封止ブロック１８を、前記モールド樹脂１３の表面側から、少なくとも前記ハーフカットで形成されたカット溝２１に到達するまで研削し、個々の半導体装置１０を分離する工程（Ｆ）とを備える。つまり、樹脂封止ブロック１８を研削して半導体装置１０の薄型化を可能にする許りでなく、樹脂封止ブロック１８の反りを解消して均一な研削を可能にし、しかも、テープ貼り付け工程を減らすことにより、製造工程の簡略化やテープ使用量の削減を図ることができる。
【００２５】
また、前記樹脂封止ブロック１８をハーフカットする工程（Ｅ）の前に、前記基板１２の裏面に、前記半導体装置１０を外部基板へ実装するためのバンプ電極１４を形成する工程（Ｄ）を備えるため、半導体装置ブロック１８がハーフカットされる前の段階で外部基板実装用のバンプ電極形成を行うことができ、その結果、バンプ電極形成時における樹脂封止ブロック１８の取り扱いを容易にすることができる。
【００２６】
また、前記樹脂封止ブロック１８をハーフカットする工程（Ｅ）は、前記モールド樹脂１３に形成する前記カット溝２１の深さを、該モールド樹脂１３の厚さの３０％以下とするため、最少限の連結強度を確保して樹脂封止ブロック１８の折れ等を防止することができる。
【００２７】
また、前記樹脂封止ブロック１８をハーフカットする工程（Ｅ）は、前記ハーフカットに先立ち、前記モールド樹脂１３の表面を吸着チャックで直接吸着固定し、前記樹脂封止ブロック１８を研削して個々の半導体装置１０を分離する工程（Ｆ）は、前記研削に先立ち、前記基板１２の裏面に保持テープ２２を貼り付け、前記基板１２の裏面を前記保持テープ２２を介して吸着チャックで吸着固定するため、保持テープ２２の貼り付けを１回にでき、その結果、製造工程を簡略化することができる許りでなく、保持テープ２２の使用量を削減することができる。
【００２８】
また、前記樹脂封止ブロック１８を研削して個々の半導体装置１０を分離する工程（Ｆ）は、前記モールド樹脂１３を、その表面側から、前記半導体チップ１１が所定の厚さになるまで、該半導体チップ１１と共に研削するため、半導体チップ１１を、基板実装前に予め薄くすることなく、モールド樹脂１３で封止された状態で薄くすることができ、その結果、基板実装前のハンドリングで半導体チップ１１が割れる等の不都合を回避し、生産性及び歩留まりを向上させることができる。
【００２９】
また、前記樹脂封止ブロック１８を研削して個々の半導体装置１０を分離する工程（Ｆ）は、該工程（Ｆ）の後における前記半導体チップ１１の厚さを、該工程（Ｆ）の前における厚さの６０％以下にするため、基板実装以前における半導体チップ１１の割れ等を防止しつつ、半導体装置１０を飛躍的に薄型化することができる。
【００３０】
また、第二実施形態においては、前記樹脂封止ブロック１８を研削して個々の半導体装置１０を分離する工程（Ｆ）の後に、該半導体装置１０の研削面上にヒートシンク２４を接合するため、半導体チップ１１の放熱性を向上させることができる許りでなく、ヒートシンク２４で半導体チップ１１を保護することができる。
【００３１】
以上、本発明の実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。例えば前記実施形態においては、１個の半導体チップ１１が実装される半導体装置１０の製造工程を示したが、２個以上の半導体チップ１１が実装されるマルチチップモジュールの製造においても、本発明の製造方法は好適に用いられる。
【００３２】
【発明の効果】
以上の如く本発明によれば、樹脂封止ブロックを研削して半導体装置の薄型化を可能にする許りでなく、樹脂封止ブロックの反りを解消して均一な研削を可能にし、しかも、テープ貼り付け工程を減らすことにより、製造工程の簡略化やテープ使用量の削減を図ることができる。
【図面の簡単な説明】
【図１】本発明の第一実施形態に係る半導体装置の製造工程を示す図である。
【図２】本発明の第一実施形態に係る半導体装置の製造工程を経て製造された半導体装置の断面図である。
【図３】本発明の第一実施形態に係る作用説明図である。
【図４】本発明の第二実施形態に係る半導体装置の製造工程を経て製造された半導体装置の断面図である。
【図５】従来の半導体装置を示す断面図である。
【符号の説明】
１０  半導体装置
１１  半導体チップ
１２  基板
１３  モールド樹脂
１４  外部基板実装用バンプ電極
１８  樹脂封止ブロック
２１  カット溝
２２  保持テープ
２３  グラインダー
２４  ヒートシンク
【図１】
0004595265.tif 000002
【図２】
0004595265.tif 000003
【図３】
0004595265.tif 000004
【図４】
0004595265.tif 000005
【図５】
0004595265.tif 000006